(57)【特許請求の範囲】
【請求項１】
挿入されたＩＣパッケージと電気的接続を形成する挟み込み形のコンタクトと、該コンタクトが固設されるソケット本体と、前記コンタクトを開閉する移動部材とを有するＩＣソケットにおいて、
前記コンタクトは、固定弾性接片と前記移動部材を介して相対向して配される移動弾性接片とがほぼ平行に延びるように一端において互いに固着され、前記移動弾性接片が二段形状に折り曲げられて折り曲げ部をそれぞれ支点として、前記コンタクトの外側に配置され前記コンタクトを両側より挟む形の外モールド部に固着側の第１の支点までの部分を当接させ、前記移動部材の位置よりも下方の位置であって該第１の支点よりも上方の位置であって該移動弾性接片の先端側に離隔して設定される第２の支点を、該コンタクトが閉状態および開状態のとき、前記固定弾性接片および移動弾性接片間の内モールド部に当接させつつ、該移動弾性接片における該第２の支点より先端側部分が該内モールド部から離隔するようにし、且つ前記内モールド部の高さは、前記第２の支点の位置の高さおよび前記外モールドの高さより高いことを特徴とするＩＣソケット。
【請求項２】
前記第１の支点は、前記移動弾性接片と前記外モールド部との当接する支点であり、前記第２の支点が前記移動弾性接片と前記固定弾性接片および移動弾性接片間の内モールド部との当接する支点であることを特徴とする請求項１記載のＩＣソケット。
【請求項３】
前記移動弾性接片を前記コンタクトのフリー状態で外方にくの字形に折り曲げて第１の折り曲げ部を設けると共に、内方に逆くの字形に折り曲げて第２の折り曲げ部を設けることを特徴とする請求項１記載のＩＣソケット。
【発明の詳細な説明】
【０００１】
【発明の属する技術分野】
本発明は、ソケット本体のコンタクトとＩＣパッケージの外部接点との開閉を行うＩＣソケットに関するもので、特に、コンタクトの移動弾性接片と固定弾性接片がＩＣパッケージの外部接点を挟み込んで接続するように適用されるＩＣソケットに係わるものである。
【０００２】
【従来の技術】
従来、電気部品としてのＩＣパッケージ等は、ＩＣソケットのソケット本体に装着し、格子状に形成された移動板を横方向に移動して、挟み込みコンタクトを開閉してＩＣパッケージと接続するようにしたＩＣソケットが知られている。
【０００３】
従来におけるこのようなＩＣソケットにおいては、挟み込みコンタクトが移動弾性接片と固定弾性接片とをほぼ平行に延びるように配置して成り、移動弾性接片が「く」の字形に折り曲げて形成されていて、コンタクトによってＩＣパッケージの外部接点を挟み込んで接続するように構成されている。
【０００４】
このような従来のＩＣソケットの一例が図４乃至図７に示されており、図４に全体の構成が概略的に示されている。図４に示されるように、ＩＣソケット１００は、固定のソケット本体１０２と、この固定のソケット本体１０２に対して上下動可能な操作部材１０３と、この操作部材１０３によって横方向に移動される案内部材１０４と、固定弾性接片１０６と移動弾性接片１０７を有する複数個のコンタクト１０５と、コンタクト１０５の固定弾性接片１０６と移動弾性接片１０７を開閉するための格子状の移動部材１０８とから構成されている。
【０００５】
さらに、このようなＩＣソケット１００は、コンタクト１０５の移動弾性接片１０７の内側へのばね定数を高くして固定弾性接片１０６に対する反発力を大きくするように、移動弾性接片１０７が、図６のフリー状態において「く」の字形に折り曲げられており、固定弾性接片１０６と移動弾性接片１０７の先端接触部間の間隙がＳ’であり、ＩＣパッケージ１１０が案内部材１０４のＩＣパッケージ装着部１１２に装着されて、外部端子１１１がコンタクト１０５の先端の接触部間に嵌め込まれて接続されるように構成されている。
【０００６】
このようなコンタクト１０５の移動部材１０８への組立てた状態が図５に示されており、移動部材１０８の格子状または櫛歯状の押圧部１０８ａが固定弾性接片１０６と移動弾性接片１０７との間に位置されるように配置されている。従って、コンタクト１０５における有効なばね定数は、移動弾性接片１０７の折り曲げ部分の長さＬ１の部分のばね定数である。
【０００７】
【発明が解決しようとする課題】
しかしながら、このような従来のＩＣソケット１００において、コンタクト１０５は、フリー状態において図６に示されるように「く」の字形に折り曲げられた移動弾性接片１０７がソケット本体１０２のモールド部１０９に組込まれる時に、図７に示される如くコンタクト１０５の先端接触部が前倒れしてプリロードが掛かるような構造を成しているが、コンタクト１０５が図示のように前倒れした時に、前倒れ量Ｓｍ’が大きくて、コンタクト１０５の開口部寸法が狭く、従って、開口量Ｓａ’が少なくなるために、コンタクト１０５の組立てが厄介で、困難になる。
【０００８】
従って、本発明の目的は、このような従来における問題を解決するために、固定弾性接片の反発力を大きくすると共に移動弾性接片の内側へのばね定数を高くするために、移動弾性接片を「く」の字形に二段形状に折り曲げ、固定弾性接片と移動弾性接片の間のモールド部材となるモールド部を高くして、組込んだ時の弾性変形ばね部の長さを変えることで、ばね定数を上げることができ、前倒れによるプリロード量を多く設定しなくても、接触力を上げ、かつ組立てを容易にできるようにしたＩＣソケットを提供することにある。
【０００９】
【課題を解決するための手段】
上述の目的を達成するために、本発明のＩＣソケットは、挿入されたＩＣパッケージと電気的接続を形成する挟み込み形のコンタクトと、該コンタクトが固設されるソケット本体と、前記コンタクトを開閉する移動部材とを有するＩＣソケットにおいて、前記コンタクトは、固定弾性接片と前記移動部材を介して相対向して配される移動弾性接片とがほぼ平行に延びるように一端において互いに固着され、前記移動弾性接片が二段形状に折り曲げられて折り曲げ部をそれぞれ支点として、前記コンタクトの外側に配置され前記コンタクトを両側より挟む形の外モールド部に固着側の第１の支点までの部分を当接させ、前記移動部材の位置よりも下方の位置であって該第１の支点よりも上方の位置であって該移動弾性接片の先端側に離隔して設定される第２の支点を、該コンタクトが閉状態および開状態のとき、前記固定弾性接片および移動弾性接片間の内モールド部に当接させつつ、該移動弾性接片における該第２の支点より先端側部分が該内モールド部から離隔するようにし、且つ前記内モールド部の高さは、前記第２の支点の位置の高さおよび前記外モールドの高さより高いことを特徴とする。
【００１１】
さらに、本発明のＩＣソケットは、前記第１の支点が、前記移動弾性接片と前記外モールド部との当接する支点であり、前記第２の支点が前記移動弾性接片と前記固定弾性接片および移動弾性接片間の内モールド部との当接する支点であることを特徴とする。
【００１３】
本発明のＩＣソケットは、前記移動弾性接片を前記コンタクトのフリー状態で外方にくの字形に折り曲げて第１の折り曲げ部を設けると共に、内方に逆くの字形に折り曲げて第２の折り曲げ部を設けることを特徴とする。
【００１４】
本発明のその他の目的や特徴および利点は、添付図面に示される本発明のＩＣソケットの実施形態についての以下の詳細な説明から明らかである。
【００１５】
【発明の実施の形態】
（実施例）
図１乃至図３は、本発明のＩＣソケットにおけるコンタクトの一実施例を示す中央断面概要図で、図１はコンタクトを移動部材により開いた時の図、図２はコンタクトのフリー状態の時の図で、図３は閉じた状態の時の図である。
【００１６】
図１に示されるように、本発明のＩＣソケットは、ＩＣパッケージを装着して電気的接続を形成する挟み込み形のコンタクト１を有するタイプのＩＣソケットである。このような本発明のＩＣソケットにおけるコンタクト１は、固定弾性接片６と移動弾性接片７とから構成されており、これら固定弾性接片６と移動弾性接片７が、基端部となる下端において互いに固着され、上方へと大体一定の間隔を置いてほぼ平行に延びており、上端がそれぞれフリーになっている。このような本発明のコンタクト１において、固定弾性接片６は、図２に示されるように、ほぼ真っ直ぐに上方へと延びており、移動弾性接片７は、先ず、下方側において外方にほぼ「く」の字形に折り曲げられ、次いで、その上方において内方に逆「く」の字形に折り曲げられており、従って、図示の如く二段形状に折り曲げられている。
【００１７】
いま、このような本発明のコンタクト１における移動弾性接片７の二段形状の折り曲げにおいて、下方の折り曲げ部１２を第１の支点（支点１）Ｃ１とし、上方の折り曲げ部１４を第２の支点（支点２）Ｃ２として、下方の折り曲げ部１２の第１の支点Ｃ１から移動弾性接片７の先端までの長さをＬ１とし、上方の折り曲げ部１４の第２の支点Ｃ２から先端までの長さをＬ２として、内側のモールド部である内モールド部９の高さをＬとする。
【００１８】
このように、二段形状に折り曲げられた本発明のコンタクト１の移動弾性接片７において、下方の、第１の折り曲げ部１２の第１の支点Ｃ１は、移動弾性接片７の外側のモールド部である外モールド部１１に当接しており、上方の、第２の折り曲げ部１４の第２の支点Ｃ２は、固定弾性接片６と移動弾性接片７との間のモールド部である内モールド部９に当接していて、しかも、両側のモールド部である外モールド部１０、１１よりも内側のモールド部である内モールド部９の方が、高さＬが十分に高くなっている。
【００１９】
また、このような本発明のＩＣソケットにおけるコンタクト１は、フリー状態において、移動弾性接片７が、図２に示されるように、第１の「く」の字形と、第２の逆「く」の字形とに、二段形状に折り曲げられており、固定弾性接片６と移動弾性接片７の先端の接触部間に間隙Ｓが形成されている。従って、図２に示されるように二段形状に折り曲げられた移動弾性接片７がソケット本体２のモールド部の内モールド部９と外モールド部１０、１１に組込まれる時に、図３に示されるように、コンタクト１の先端接触部が前倒れしてプリロードが掛かるような構造を成している。このように、本発明におけるコンタクト１が図示のように前倒れした時に、前倒れ量Ｓｍは小さく、コンタクト１の開口部の寸法は広く、従って、開口量Ｓａが大きくなっているために、ソケット本体２へのコンタクト１の組立てが容易で、作業が行い易くなっている。
【００２０】
さらにまた、このように、本発明のコンタクト１においては、二段形状に移動弾性接片７が折り曲げられているために、モールド部の内モールド部９の高さＬを、外側の外モールド部１０、１１の高さよりも高くすることによって、コンタクト１をソケット本体２に組込んだ時に、移動弾性接片７のばね部は、有効長さがＬ１からＬ２に変わるために、ばね定数が上がって、前倒れによるプリロード量を多く設定しなくても、接触力が上がるようになる。さらに、組立て時に、コンタクト１の移動弾性接片７が上方の、第２の折り曲げ部１４の第２の支点Ｃ２において内モールド部９と当接して、コンタクト１の開口量Ｓａが狭くならずに十分に広くなっていて、組立て作業が一層行い易くなっている。
【００２１】
図示されるように、本発明のＩＣソケットにおいて、コンタクト１は、ソケット本体２に固設されていて、一対の固定弾性接片６と移動弾性接片７とから形成されており、格子状または櫛歯状の移動部材８を固定弾性接片６と移動弾性接片７との間に挟むように配置されている。従って、移動部材８の横方向の移動によって、コンタクト１の固定弾性接片６に対して移動弾性接片７が離れたり近接するように動かされて、固定弾性接片６と移動弾性接片７の間にＩＣパッケージの外部接点を嵌合するように挟み込んで接触できるように形成されている。特に、本実施例においては、固定弾性接片６に対する移動弾性接片７の反発力を大きくするために、内側へのばね定数が高くなるように二段形状に折り曲げて作られるのが好適である。
【００２２】
いま、図１では、本発明におけるコンタクト１がソケット本体２に固設されて移動部材８が組込まれた状態にあり、図２においては、コンタクト１はフリー状態にあって、コンタクト１の固定弾性接片６と移動弾性接片７がフリーな開いた状態にあり、さらに、図３の組立てた状態においては、コンタクト１が閉じた状態にあって、コンタクト１の固定弾性接片６と移動弾性接片７がフリーな閉じた状態にある。
【００２３】
また、本実施例においては、ＩＣパッケージにはボール・グリッド・タイプのＩＣパッケージが用いられて、半球状またはボール状の外部接点がコンタクト１の固定弾性接片６と移動弾性接片７の間に挟み込まれて接触されるように構成されている。
【００２４】
このように構成された本発明のＩＣソケットのコンタクト１は、図１に示されるような組込み状態において、ソケット本体２に固設されたコンタクト１に、移動部材８が組込まれた状態に配置されており、特に、移動部材８によってコンタクト１の固定弾性接片６に対して移動弾性接片７が押し開かれた状態に位置されている。
【００２５】
また、本発明のＩＣソケットのコンタクト１は、上述のコンタクトオープン状態において、図１に示されるようにコンタクト１の移動弾性接片７が移動部材８によって開く方向に押圧されるので、ＩＣパッケージの外部接点からコンタクト１の移動弾性接片７が好適に引き離される等の、引き離し効果が見られるし、また、本発明におけるコンタクト１の移動弾性接片７が、内側へのばね定数が高くて反発力が大きいために、図３に示されるように、移動弾性接片７が、第１、第２の折り曲げ部１２、１４の第１、第２の支点Ｃ１、Ｃ２において、内モールド部９と外モールド部１１と当接するように二段形状に折り曲げられているので、ばね定数が大きく上がり、前倒れによるプリロードを多く設定しなくても接触力が良好に上がるようになる。
【００２６】
さらにまた、このような本発明のＩＣソケットのコンタクト１において、組立て時に移動弾性接片７が上方の、第２の折り曲げ部１４の第２の支点Ｃ２でモールド部の内モールド部９と当接して、コンタクト１の開口量Ｓａが大きくなっていて狭くならないので、組立て作業が大いに行い易くなる。
【００２７】
このように、本発明のＩＣソケットにおいては、固定のソケット本体２と、固定弾性接片６と移動弾性接片７を有するコンタクト１と、コンタクト１を開閉する移動部材８とを有し、コンタクト１の移動弾性接片７の内側へのばね定数を高くすることによって、移動弾性接片７の反発力を大きくすることができ、ＩＣパッケージの外部接点が各コンタクト１の固定弾性接片６と移動弾性接片７の間に挟み込まれるように嵌合されて良好に接触でき、コンタクト１の開閉操作が容易かつ良好にできる。
【００２８】
上記のように構成された本発明のコンタクトが適用されるＩＣソケットにおいては、コンタクトの開閉操作が容易にでき、しかも、コンタクトが良好に接触でき、ＩＣパッケージの外部接点とコンタクトの接触部の高温接触等による接着を阻止し、コンタクトオープン時の移動部材による引き離しを行って、ＩＣパッケージの取り出しを容易にすることができる。
【００２９】
このように、本発明のＩＣソケットにおいては、ＩＣソケットへのＩＣパッケージの挿入作業がロボット等の自動機や手作業によって好適に行うことができ、ＩＣパッケージのＩＣソケットへの実装作業の効率を向上し、かつ改善することが出来る。
【００３０】
【発明の効果】
以上説明したように、本発明の請求項１に係るＩＣソケットは、挿入されたＩＣパッケージと電気的接続を形成する挟み込み形のコンタクトと、該コンタクトが固設されるソケット本体と、前記コンタクトを開閉する移動部材とを有するＩＣソケットにおいて、前記コンタクトは、固定弾性接片と前記移動部材を介して相対向して配される移動弾性接片とがほぼ平行に延びるように一端において互いに固着され、前記移動弾性接片が二段形状に折り曲げられて折り曲げ部をそれぞれ支点として、前記コンタクトの外側に配置され前記コンタクトを両側より挟む形の外モールド部に固着側の第１の支点までの部分を当接させ、前記移動部材の位置よりも下方の位置であって該第１の支点よりも上方の位置であって該移動弾性接片の先端側に離隔して設定される第２の支点を、該コンタクトが閉状態および開状態のとき、前記固定弾性接片および移動弾性接片間の内モールド部に当接させつつ、該移動弾性接片における該第２の支点より先端側部分が該内モールド部から離隔するようにし、且つ前記内モールド部の高さは、前記第２の支点の位置の高さおよび前記外モールドの高さより高いので二段形状に折り曲げられた移動弾性接片の内側へのばね定数を高くすることができ、外側にプリロードをかけることができ、固定弾性接片に対する移動弾性接片の反発力を大きくすることができ、コンタクトの開閉操作が容易、かつ良好に行うことができる。
【００３２】
本発明の請求項２に係るＩＣソケットは、前記第１の支点が、前記移動弾性接片と前記外モールド部との当接する支点であり、前記第２の支点が前記移動弾性接片と前記固定弾性接片および移動弾性接片間の内モールド部との当接する支点であるので、移動弾性接片のばね定数を大きくとることができ、組立て時の作業が容易になる。
【００３４】
本発明の請求項３に係るＩＣソケットは、前記移動弾性接片を前記コンタクトのフリー状態で外方にくの字形に折り曲げて第１の折り曲げ部を設けると共に、内方に逆くの字形に折り曲げて第２の折り曲げ部を設けるので移動弾性接片のばね定数を大きくでき、組立てが容易にできるようになる。
【図面の簡単な説明】
【図１】本発明のＩＣソケットにおけるコンタクトの一実施例を組立てた状態で示す断面概要部分図である。
【図２】図１の本発明のＩＣソケットのコンタクトをフリー状態で示す断面概要部分図である。
【図３】図１の本発明のＩＣソケットのコンタクトをソケット本体に組込んだ状態で示す断面概要部分図である。
【図４】従来のＩＣソケットにおける中央縦断面概要図である。
【図５】図４の従来のＩＣソケットにおける１つのコンタクトを組立てた状態で示す断面概要部分図である。
【図６】図５の従来のＩＣソケットのコンタクトをフリー状態で示す断面概要部分図である。
【図７】図５の従来のＩＣソケットのコンタクトをソケット本体に組込んだ状態で示す断面概要部分図である。
【符号の説明】
１      コンタクト
２      ソケット本体
６      固定弾性接片
７      移動弾性接片
８      移動部材
９      内モールド部
１０    外モールド部
１１    外モールド部
１２    折り曲げ部（第１）
１４    折り曲げ部（第２）
【図１】
0003795794.tif 000002
【図２】
0003795794.tif 000003
【図３】
0003795794.tif 000004
【図４】
0003795794.tif 000005
【図５】
0003795794.tif 000006
【図６】
0003795794.tif 000007
【図７】
0003795794.tif 000008